(57)【特許請求の範囲】
【請求項１】
回転軸と、前記回転軸にとりつけられ、前記回転軸の軸方向に移動可能な駆動部材と、前記駆動部材と連結することで動力の伝達が可能となる従動部材とを有し、前記駆動部材と前記従動部材は同一軸上に配置され、且つ、前記駆動部材の前記軸方向の両側に前記従動部材を備え、
前記駆動部材が前記回転軸の回転により駆動し、
前記駆動部材は前記回転軸の軸方向に対して傾斜する方向に設けられた長穴と、長穴に貫通するように設けられたピンとを備え、前記長穴と前記ピンにより、前記駆動部材が前記回転軸の軸方向へ移動することを特徴とする紙幣取引装置。
【請求項２】
回転軸と、前記回転軸にとりつけられ、前記回転軸の軸方向に移動可能な駆動部材と、前記駆動部材と連結することで動力の伝達が可能となる従動部材とを有し、前記駆動部材と前記従動部材は同一軸上に配置され、且つ、前記駆動部材の前記軸方向の両側に前記従動部材を備え、
前記駆動部材が前記回転軸の回転により駆動し、
前記駆動部材に前記駆動部材の回転方向に抵抗力を付与する抵抗部材を備えることを特徴とする紙幣取引装置。
【請求項３】
請求項１記載の紙幣取引装置において、前記従動部材間の距離は前記駆動部材の長さより短いことを特徴とする紙幣取引装置。
【請求項４】
請求項１記載の紙幣取引装置において、紙幣を巻き取るためのホイールと、前記ホイールと挟持することで紙幣を搬送するフィルムと、前記フィルムを収納するためのリールとを有し、前記フィルムはその両端がそれぞれ、ホイール及びリールに取り付けられており、前記駆動部材の前記軸方向の両側に備えられている前記従動部材のうち、一方が前記ホイールに連結され、他方が前記リールに連結されていることを特徴とする紙幣取引装置。
【請求項５】
請求項１記載の紙幣取引装置において、紙幣を搬送するための第一の搬送手段と第二の搬送手段があり、前記駆動部材の両側に備えられている前記従動部材のうち、一方が第一の搬送手段と連結され、他方が第二の搬送手段と連結されていることを特徴とする紙幣取引装置。
【請求項６】
請求項１記載の紙幣取引装置において、第一の収納空間と第二の収納空間を有する二段入金庫を備え、前記駆動部材の前記軸方向の両側に備えられている前記従動部材のうち、一方が第一の収納空間に紙幣を搬送する第一の搬送手段と連結され、他方が第二の収納空間に紙幣を搬送する第二の搬送手段と連結されていることを特徴とする紙幣取引装置。
【請求項７】
請求項１記載の紙幣取引装置において、前記従動部材と接触する前記駆動部材の面が傾斜していることを特徴とする紙幣取引装置。
【請求項８】
請求項１記載の紙幣取引装置において、前記駆動部材と接触する前記従動部材の面が傾斜していることを特徴とする紙幣取引装置。
【請求項９】
回転軸と、前記回転軸にとりつけられ、前記回転軸の軸方向に移動可能な駆動部材と、前記駆動部材と連結することで動力の伝達が可能となる従動部材とを有し、前記駆動部材と前記従動部材は同一軸上に配置され、且つ、前記駆動部材の前記軸方向の両側に前記従動部材を備え、
前記駆動部材が前記回転軸の回転により駆動し、
前記駆動部材は前記回転軸の軸方向に対して傾斜する方向に設けられた長穴と、長穴に貫通するように設けられたピンとを備え、前記長穴と前記ピンにより、前記駆動部材が前記回転軸の軸方向へ移動することを特徴とする動力伝達機構。
【請求項１０】
回転軸と、前記回転軸にとりつけられ、前記回転軸の軸方向に移動可能な駆動部材と、前記駆動部材と連結することで動力の伝達が可能となる従動部材とを有し、前記駆動部材と前記従動部材は同一軸上に配置され、且つ、前記駆動部材の前記軸方向の両側に前記従動部材を備え、
前記駆動部材が前記回転軸の回転により駆動し、
前記駆動部材に前記駆動部材の回転方向に抵抗力を付与する抵抗部材を備えることを特徴とする動力伝達機構。
【発明の詳細な説明】
【技術分野】
【０００１】
本発明は、紙幣取引装置、動力伝達機構に関する。
【背景技術】
【０００２】
紙幣取引装置は、それぞれの目的に合わせた複数の機構要素で構成される。例えば、紙幣入金をするための機構要素、紙幣を収納するための機構要素、出金をするための機構要素等である。また、各機構要素を動作させるために複数の駆動源がある。これら駆動源は一般的に各機構要素に備えられている。
【０００３】
その中で、駆動に用いられる部品の点数を減らし装置を簡素化するため、一つの駆動源で二つの受動対象を動作する装置がある。
【０００４】
特許文献１は、紙幣挿入口に挿入された紙幣を搬送路を介して所定位置まで搬送する搬送機構と、搬送路を通過する紙幣を識別する識別部と、搬送機構によって前記所定位置まで搬送された紙幣を紙幣収納部に収納する紙幣収納機構とを備えた紙幣識別装置において、紙幣搬送機構及び紙幣収納機構をそれぞれ共通の駆動モータによって駆動する駆動機構と、駆動機構の動力伝達経路を搬送機構及び紙幣収納機構の何れか一方に切換える切換機構と、搬送機構を動作させる搬送機構側の入力ギヤと、紙幣収納機構を動作させる紙幣収納機構側の入力ギヤと、駆動機構の駆動モータによって回転する出力ギヤとを備えている。
【０００５】
また、切換機構を、駆動機構の出力ギヤによって回転する駆動ギヤと、駆動ギヤを軸方向に移動自在に支持する支軸と、駆動ギヤを軸方向に移動させる駆動源とから構成し、駆動ギヤを軸方向一方に移動させると、駆動ギヤが搬送機構側の入力ギヤに噛み合い、駆動ギヤを軸方向他方に移動させると、駆動ギヤが紙幣収納機構側の入力ギヤに噛み合うような構成特徴を持つというものである。
【先行技術文献】
【特許文献】
【０００６】
【特許文献１】特開２０１０−２２４８０４号公報
【発明の概要】
【発明が解決しようとする課題】
【０００７】
特許文献１に記載された紙幣識別装置は、図１３に示すように、駆動源の部品点数を減らすため、駆動ギヤ１１０の移動によって動力伝達経路を切換える切換構造を通して、搬送機構及び紙幣収納機構をそれぞれ共通の駆動モータによって駆動できる構成である。しかし、切換構造を構成する移動自由の駆動ギヤ１１０と、二つの搬送機構側の従動ギヤ１１１、１１２は、それぞれ３つの異なる軸１１０Ｓ、１１１Ｓ、１１２Ｓに設けられている。また、駆動ギヤ１１０を軸方向に移動させる駆動源としてソレノイド１１３を利用することによって、駆動部材１１４を駆動ギヤ１１０に係合する構成である。このような構成であると、装置が大型もしくは複雑化するという課題がある。
【０００８】
そこで、本発明では、上述した課題を解決する一例として、駆動に用いられる部品の点数を少なくすることにより、簡素且つ小型化を図り、高い動作信頼性を得ることができる紙幣取引装置、動力伝達機構を提供することを目的とする。
【課題を解決するための手段】
【０００９】
上記課題を解決し、目的を達成するために、本発明では、紙幣取引装置において、回転軸と、前記回転軸に取り付けられ前記回転軸の軸方向に移動可能な駆動部材と、前記駆動部材と連結することで駆動力の伝達が可能となる従動部材とを有し、前記駆動部材と前記従動部材は同一軸上に配置され、且つ、前記駆動部材の前記軸方向の両側に前記従動部材を備える。
【００１０】
更に、前記駆動部材は前記回転軸に対して、傾斜する方向に設けられた長穴と、長穴に貫通するように回転軸に固定されたピンとを備え、前記ピンが前記長穴により、前記駆動部材を前記回転軸の軸方向へ移動させることを特徴とする。
【００１１】
また、本発明は、上記紙幣取引装置で用いられる動力伝達機構としても把握される。
【発明の効果】
【００１２】
本発明によれば、動力を伝達するための駆動部材及び従動部材が同一軸上に取付けられており、且つ、駆動部材の両側に従動部材を備えるため、駆動部材により一方の従動部材へ動力を伝達する際に、他方の従動部材とは接触しない。したがって、駆動部材がその両側の従動部材と同時に噛み合うことが無く、同時に両側の従動部材へ動力伝達されることが無いため、確実な動力伝達の切換が可能となり高信頼である。
【００１３】
また、駆動部材が取付けられている軸の回転によって動作するため、動力伝達の切換えのための動力源が必要ないため、部品点数が少なく小型且つ簡素な紙幣取引装置を実現できる。
【図面の簡単な説明】
【００１４】
【図１（ａ）】現金自動取引装置の外観斜視図及び機能ブロック図である。
【図１（ｂ）】現金自動取引装置の機能ブロック図である。
【図２（ａ）】紙幣取引装置の構成を示す側面図及び機能ブロック図である。
【図２（ｂ）】紙幣取引装置の構成を示すブロック図である。
【図３】紙幣取引装置の入金計数動作経路を示す側面図である。
【図４】紙幣取引装置のリジェクト紙幣返却動作経路を示す側面図である。
【図５（ａ）】駆動部材の動作と従動部材との接続状態の説明図である。
【図５（ｂ）】駆動部材の動作と従動部材との接続状態の説明図である。
【図５（ｃ）】駆動部材の動作と従動部材との接続状態の説明図である。
【図５（ｄ）】駆動部材の動作と従動部材との接続状態の説明図である。
【図６（ａ）】駆動部材の動作と従動部材との接続状態の説明図である。
【図６（ｂ）】駆動部材の動作と従動部材との接続状態の説明図である。
【図６（ｃ）】駆動部材の動作と従動部材との接続状態の説明図である。
【図６（ｄ）】駆動部材の動作と従動部材との接続状態の説明図である。
【図７】実施例１の第二の一時保管庫の構成を示す側面図である。
【図８】実施例１の第二の一時保管庫の構成を示す正面図である。
【図９（ａ）】実施例１の第二の一時保管庫のリールにテープを巻き取る際の駆動系の説明図である。
【図９（ｂ）】実施例１の第二の一時保管庫のリールにテープを巻き取る際の駆動系の説明図である。
【図１０（ａ）】実施例１の第二の一時保管庫のホイールにテープと紙幣とを巻き取る際の駆動の説明図である。
【図１０（ｂ）】実施例１の第二の一時保管庫のホイールにテープと紙幣とを巻き取る際の駆動の説明図である。
【図１１】実施例２の構成を示す説明図である。
【図１２】実施例３の構成を示す説明図である。
【図１３】従来の動力伝達経路の切換構造を示す概略図である。
【発明を実施するための形態】
【００１５】
以下、本発明にかかる紙幣取引装置、動力伝達機構の実施の形態について図面を用いて説明する。
【００１６】
図１（ａ）は、本発明にかかる紙幣取引装置、動力伝達機構を適用した現金自動取引装置（ＡＴＭ：  Ａｕｔｏｍａｔｅｄ  Ｔｅｌｌｅｒ  Ｍａｃｈｉｎｅ）の外観を示す斜視図である。図１（ａ）に示す現金自動取引装置１は、利用者から入金（投入）された紙幣を内部に保管するとともに、内部に保管されている紙幣を利用者へ出金（放出）するもので、紙幣取引装置１０１と、カード・明細票処理機構１０２と、顧客操作部１０３と、金庫筐体１０４とを備えている。
【００１７】
紙幣取引装置１０１は、利用者による紙幣の投入及び利用者に対する紙幣の放出を行う紙幣スロット１０１ａを介して、紙幣の入金処理、出金処理、識別処理などを実行する。また、紙幣取引装置１０１の下部には紙幣が保管される紙幣収納庫が設けられており、紙幣収納庫は金庫筐体１０４で囲まれている。紙幣取引装置１０１の詳細な構成については、後述する。
【００１８】
カード・明細票処理機構１０２は、現金自動取引装置１の上部右側に設けられており、カード挿入口・明細票発券口１０２ａを介して、取引時に使用される利用者のキャッシュカードなどの挿入及び排出や、取引明細が印字された明細票の排出を実行する。また、カードに付加された磁気ストライプの情報の読取・磁気ストライプへの情報の書込、取引明細の印字を実行する。
【００１９】
顧客操作部１０３は、現金自動取引装置１の上部左側に設けられており、ＬＣＤ（Ｌｉｑｕｉｄ  Ｃｒｙｓｔａｌ  Ｄｉｓｐｌａｙ）などの表示部とボタン式の操作部とから構成されており、現金自動取引装置１の利用者に対して、取引内容の選択画面や各種取引の実行画面等を表示し、利用者の選択を受け付ける。なお、図１（ａ）では、顧客操作部１０３は、表示部の周辺に操作部を設けた構成としているが、例えば、操作部をタッチパネルとし、タッチパネルとＬＣＤとを重ね合わせた構成としても良い。
【００２０】
なお、図１（ａ）に示されていないが、取引時に使用される通帳の挿入及び排出を実行し、挿入された通帳への印字を実行し、通帳に貼付された磁気ストライプの情報の読取や、磁気ストライプへの情報の書込を実行する通帳処理装置や、硬貨の入金処理、出金処理、識別処理などを実行する硬貨処理装置を備えていても良い。
【００２１】
図１（ｂ）は、現金自動取引装置１の機能ブロック図である。現金自動取引装置１は、紙幣取引装置１０１と、カード・明細票処理機構１０２と、顧客操作部１０３と、外部記憶装置１０５とを備えている。これらの装置及び機構は、バス１０６を介して本体制御部１０７と接続されており、本体制御部１０７の制御の下に必要な動作を行う。また、上記各機構及び構成部分は、電源部１０８より電力を供給される。
【００２２】
図２（ａ）は、紙幣取引装置１０１の構成を示す側面図である。図２（ａ）に示す紙幣取引装置１０１には、その上部左側に入出金口１０が配置される。当該入出金口１０では、外部から投入された紙幣を受理する「入金」と、外部に放出する紙幣が収納される「出金」が同じ場所で実施される。
【００２３】
紙幣取引装置１０１の中央部には、搬送された紙幣の識別情報を取得する識別部３０が配置される。ここで、紙幣の識別情報とは、例えば、紙幣の金種情報、真偽情報（真性の紙幣であるか、偽造の紙幣であるか、偽造と疑わしい紙幣であるか、又は紙幣として認識できないか等）、紙幣の状態情報（破れがあるか、しわがあるか等）を含む情報である。なお、取得した紙幣情報により、取扱紙幣は「正紙幣」、「リジェクト紙幣」及び「偽造紙幣」を分類する。ここで、「正紙幣」は、紙幣取引装置１０１の内部に収納及び出金処理に適切できる紙幣のことである。「リジェクト紙幣」とは、例えば折れや破れ等により紙幣取引装置１０１の内部に収納することは可能であるが、他の利用者への出金に適さないと判断された紙幣のことである。
【００２４】
また、識別部３０は、上記識別情報とは異なる、各々の紙幣の固有情報（例：紙幣に印刷された記番号等）を読み取ることにより、同一の金種、真偽若しくは状態の紙幣が複数であっても、別個の紙幣として認識することが可能である。
【００２５】
紙幣取引装置１０１の中部左上側には、入金された紙幣内の正紙幣を取引成立までの間、一時的に保管する第一の一時保管庫４０が配置される。
【００２６】
紙幣取引装置１０１の中部左下側には、入金された紙幣内のリジェクト紙幣を正紙幣の取引成立までの間、一時的に保管する第二の一時保管庫５０が配置される。
【００２７】
紙幣取引装置１０１の中部右上側には、正紙幣を取引成立した後、偽造紙幣と、入出金口１０に出金され、利用者は取り忘れた正紙幣を保管する保管庫６０が配置される。保管庫６０は、入金された偽造紙幣を保管する上段部と、出金された取り忘れ正紙幣を保管する下段部と、上段部と下段部との仕切板とを備える。
【００２８】
紙幣取引装置１０１の下部には、その左側から２番目の紙幣の収納のみを行う非還流ボックス７４と、左側から１，３，４，５番目の紙幣の収納及び放出を行う還流ボックス７０，７１，７２，７３とが配置される。これらの非還流ボックス７４と還流ボックス７０，７１，７２，７３とを合わせて、紙幣収納庫と称する。
【００２９】
非還流ボックス７４は、入金処理時及び出金処理時に発生したリジェクト紙幣等を収納する収納庫である。
【００３０】
ここで非還流ボックス７４は，例えばその収納空間が二段構成になっており、二種類に区分された紙幣を収納する二段入金庫であっても良い。
【００３１】
還流ボックス７０，７１，７２，７３は、入金された紙幣内の正紙幣であって出金に適した正紙幣を収納する収納庫である。還流ボックス７０，７１，７２，７３には、入金処理時に金種別に紙葉類が収納され、出金処理時に指定された枚数の紙葉類が放出される。
【００３２】
なお、ソフトウェアによる設定や、ディップスイッチ（図示せず）の設定等により、非還流ボックス７４、還流ボックス７０，７１，７２，７３の設定を変更することは可能であり、例えば、非還流ボックス７４を還流ボックスとしたり、還流ボックス７０，７１，７２，７３を非還流ボックスとして運用しても良い。
【００３３】
また、非還流ボックス７４、還流ボックス７０，７１，７２，７３は、同一の外形であり、それぞれのボックスにおける紙幣の出入口（または入口）は共通の位置に設けられている。そのため、ソフトウェアによる設定や、ディップスイッチ（図示せず）の設定等を用いなくても、それぞれのボックスの位置を相互に交換することも可能である。
【００３４】
また、還流ボックス７０，７１，７２，７３に収納する紙幣の金種も、ソフトウェアによる設定や、ディップスイッチの設定等により可能であり、複数の還流ボックスに同一金種の紙幣を収納しても良い。
【００３５】
上記入出金口１０と、識別部３０と、第一の一時保管庫４０と、第二の一時保管庫５０と、偽造・取り忘れ紙幣を収納する保管庫６０と、非還流ボックス７４と、還流ボックス７０，７１，７２，７３とは、紙幣を搬送する搬送路２０，２１，２２，２３，２４，２５により接続される。これらの搬送路２０，２１，２２，２３，２４，２５は、図示しない駆動源により駆動される。なお、各搬送路の駆動源を別個の駆動源としたり、複数の搬送路を纏めて一つの駆動源により駆動しても良い。また、各搬送路の分岐点には、図示せぬゲートが設けられている。
【００３６】
搬送路２０は，  入出金口１０と金庫１０４内部を繋ぐ搬送路である。搬送路２１は識別部３０と搬送路２０との間で紙幣を搬送する搬送路である。搬送路２２は紙幣を偽造・取り忘れ紙幣保管庫６０へ搬送する搬送路である。搬送路２３は、識別部３０と第一の一時保管庫４０との間で紙幣を搬送する搬送路である。搬送路２４は第二の一時保管庫５０と繋がり、リジェクト紙幣を第二の一時保管庫５０へ（もしくはリジェックト紙幣を第二の一時保管庫５０から）搬送する搬送路である。搬送路２０〜２４の搬送方向は、図示せぬゲートによって切り替えられる。搬送路２５、２５ａは図示せぬゲートと、非還流ボックス７４、還流ボックス７０、７１、７２、７３との間で紙幣を搬送する搬送路である。非還流ボックス７４、還流ボックス７０、７１、７２、７３への紙幣の収納と、還流ボックス７０、７１、７２、７３からの紙幣の繰出しとは、図示せぬゲートによって切り替えられる。
【００３７】
搬送路２０、２１、２３、２４、２５は、紙幣を双方向に搬送する搬送路である。一方、搬送路２２、２５ａは、紙幣を一方向に搬送する一方向搬送路である。紙幣の搬送方向は非還流ボックス７４へ収納するという方向である。
【００３８】
なお、一方向搬送路は、構造上一方向にしか紙幣を搬送できない搬送路としても、構造上は双方向に搬送可能であるが、一方向にしか紙幣を搬送しない設定とした搬送でも良い。また、後者の場合、搬送路２２、２５ａを双方向搬送路にしても良い。
【００３９】
各搬送路上には、紙幣の存在を検出するための搬送路センサ（図示せず）を備えている。搬送路センサは、例えば、赤外光発光部と、搬送路を挟んで赤外光発光部に対向する位置に設けられた赤外光受光部とから構成され、赤外光受光部のダーク／ライトを検出することにより、紙幣の存在を検出する。
【００４０】
図２（ｂ）は、紙幣取引装置１０１の構成を示すブロック図である。紙幣取引装置１０１は、入出金口１０と、識別部３０と、第一の一時保管庫４０と、第二の一時保管庫５０と、偽造・取り忘れ紙幣保管庫６０と、非還流ボックス７４と、還流ボックス７０，７１，７２，７３と、搬送路２０〜２５、２５ａと、ゲート（図示せず）と、記憶部（図示せず）と、を備えている。これらの各機構及び構成部分は、制御部１０９と接続されており、制御部１０９の制御の下に必要な動作を行う。すなわち、制御部１０９は、本体制御部１０７からの指令を現金自動取扱装置１のバス１０６を介して受信し、当該指令に基づき各機構及び構成部分を制御する。
【００４１】
記憶部（図示せず）は、例えば、ＲＡＭ（Ｒａｎｄｏｍ  Ａｃｃｅｓｓ  Ｍｅｍｏｒｙ）等であり、識別部３０により判別された紙葉類の識別情報（金種情報、真偽情報、状態情報）や、各々の紙葉類に固有の情報（例：紙葉類に印刷された記番号等）を格納する。
【００４２】
続いて、紙幣の入金動作について説明する。紙幣の入出金動作は、利用者により投入された紙幣を紙幣入出金機に入金する動作（入金動作）と、紙幣入出金機に収納された紙幣を利用者に対して出金する動作（出金動作）とに分けられる。また、入金動作は、利用者により投入された紙幣を計数する動作（入金計数動作）と、計数された紙幣内のリジェクト紙幣を識別部３０により識別した後に、利用者へ返却する動作（リジェクト返却動作）と、計数された紙幣を非還流ボックス７４、還流ボックス７０，７１，７２，７３に収納する動作（入金収納動作）とに分けられる。
【００４３】
入金計数動作における詳細な処理を、図３を用いて説明する。図３は、幣取扱装置１０１は入金計数動作を行う径路を示す側面図である。紙幣取引装置１０１は、紙幣スロット１０１ａを介して入出金口１０に投入された紙幣を、一枚ずつ分離する。その後、分離した紙幣を、紙幣搬送路２０，２１を経由させ、識別部３０で紙幣の識別情報及び固有情報を取得する。紙幣として認識できた場合（正紙幣）は、紙幣搬送路２３を経由させ、正紙幣を第一の一時保管庫４０に一時的に収納する。紙幣として認識できたが、傾き異常や紙幣同士の間隔異常となった場合（リジェクト紙幣）は、紙幣搬送路２４を経由させ、第二の一時保管庫５０に一時的に収納する。
【００４４】
リジェクト返却動作における詳細な処理を、図４を用いて説明する。図４は、紙幣取扱装置１０１におけるリジェクト返却動作を行う径路を示す側面図である。第二の一時保管庫５０に一時保管している紙幣（リジェクト紙幣）は、紙幣搬送路２５を経由し、識別部３０へ搬送され、識別部３０で紙幣の識別情報及び固有情報を再取得する。正紙幣として再認識できた紙幣は、紙幣搬送路２３を経由し、第一の一時保管庫４０に収納される。正紙幣として認識されなかった紙幣は紙幣搬送路２０を経由し、入出金口１０に搬送され、利用者に返却する。入出金口１０に紙幣を返却した場合は、顧客操作部１０３に、利用者に紙幣を再投入する旨を指示する画面が表示される。
【００４５】
次に、本実施の形態における紙幣取引装置に備えられる、一部の動力伝達機構に関して、その構成と動作について説明する。
【００４６】
図５（ａ）、５（ｂ）、５（ｃ）、５（ｄ）、は、駆動部材の動作と従動部材との接続状態を示した説明図である。
【００４７】
本実施の形態における動力伝達機構は、駆動部材５００と駆動部材の左側にある左側従動部材５０３ａと駆動部材の右側にある右側従動部材５０５ａと軸５０３Ｓとを有する。ここで、左側従動部材５０３ａと右側従動部材５０５ａとの距離をＬ１、駆動部材５００の長さをＬ２とすると、Ｌ１＜Ｌ２という関係となっている。
【００４８】
駆動部材５００は軸５０３Ｓに対して、回転且つ移動が自在であり、駆動部材５００には斜面を有する左接触部５００ｌ、及び右接触部５００ｒが存在する。また、駆動部材５００には軸５０３Ｓに対して傾斜する方向に長穴５１５が設けられ、軸５０３Ｓには当該長穴５１５を貫通するように、軸５０３Ｓに固定されたピン５１８ｐが設けられている。また、駆動部材５００には、その回転方向に抵抗力を付与する抵抗部材であるコイルばね５１６が取り付けられている。また、当該コイルばね５１６は移動しないように固定されており、駆動部材５００に巻き付けられている。ここで、コイルばね５１６は駆動部材５００には固定されておらず、表面を滑るような構成となっている。すなわち、コイルばね５１６は、駆動部材５００が軸５０３Ｓの回転とともに連れ回らず、かつ駆動部材５００が軸５０３Ｓ方向に移動可能な程度の巻きつけ力により駆動部材５００に巻きつけられ、その回転方向に抵抗力を付与している。
【００４９】
このコイルばね５１６によって、駆動部材５００は回転方向に抵抗力を受けるため、駆動部材５００の長穴５１５と、軸５０３Ｓに固定されたピン５１８との間には十分な接触力が発生する。
【００５０】
また、左側従動部材５０３ａと右側従動部材５０５ａはベアリング５０３ｃと５０５ｂを通して、軸５０３Ｓに対して回転自在な状態で取り付けられている。そして左側従動部材５０３ａと右側従動部材５０５ａには斜面を有する爪部５０５１、爪部５０３１が存在する。
【００５１】
なお、駆動部材と従動部材との接触面は両方とも斜面ではなくても良い。例えば、駆動部材の左右接触部だけに斜面を設けても良い。または、従動部材の爪部だけに斜面を設けても良い。
【００５２】
次に、駆動部材の動作と従動部材との接続状態について説明する。軸５０３Ｓが矢印Ａの方向に回転すると、駆動部材５００は、コイルばね５１６から弾性抵抗力を受けるため、軸５０３Ｓに固定されたピン５１８ｐと軸５０３Ｓの回転により連れ回らない駆動部材５００に設けられた長穴５１５との間に接触力Ｆ１が発生し、軸５０３Ｓの動力が駆動部材５００へ伝達される。更に、軸５０３Ｓの回転に伴って、駆動部材５００の右接触部５００ｒはその接触している右側従動部材の爪部５０５１の斜面から接触力Ｆ２を受けて、駆動部材５００は押し出される。上述の軸方向の接触力Ｆ１、Ｆ２によって、駆動部材５００が確実に左側従動部材５０３ａ側（矢印Ｄ１の方向）に移動することが可能となっている（図５（ｂ））。そして、駆動部材５００の左接触部５００ｌが左側従動部材５０３ａに接触し結合し（図５（ｃ））、駆動部材５００を通して、軸５０３Ｓの動力が左側従動部材５０３ａに伝えられる。この時、駆動部材５００は、他方の右側従動部材５０５ａとは反対側に移動し、駆動部材５００と右側従動部材５０５ａは接触しないので、右側従動部材５０５ａには回転トルクは伝わらない（図５（ｄ））。
【００５３】
なお、上述の通り、左側従動部材５０３ａと右側従動部材５０５ａとの距離をＬ１、駆動部材５００の長さをＬ２とすると、Ｌ１＜Ｌ２という関係となっている。この関係であると、例えば、コイルばね５１６と駆動部材５００の接触が不十分となり、駆動部材５００が軸５０３Ｓの回転に連れ回り始める程度の接触力Ｆ１となっても、駆動部材５００の右接触部５００ｒと右側従動部材の爪部５０５１の斜面との接触力Ｆ２のみで、駆動部材５００が左側従動部材５０３ａと結合することが可能となる。
【００５４】
以上説明したとおり、本実施の形態における動力伝達機構においては、同一軸上に駆動部材及び従動部材が取付けられている。そのため、駆動部材は一方の従動部材へ移動し接触した時、他方の従動部材とは反対側に移動するため接触せず、駆動部材がその両側の従動部材と同時に噛み合うことが無いため、同時に動力伝達されることが無く、確実な動力伝達の切換が可能となり、高信頼である。
【００５５】
また、駆動部材が取付けられている軸の回転によって動作するため、駆動のための動力源が必要なく、部品点数が少なく小型且つ簡素となる。
【００５６】
続いて、図６（ａ）、６（ｂ）、６（ｃ）、６（ｄ）、は、上動作とは逆方向の、駆動部材の動作と従動部材との接続状態を示した説明図である。軸５０３Ｓが矢印Ｂの方向に回転すると、駆動部材５００は、コイルばね５１６から弾性抵抗力を受けるため、軸５０３Ｓに固定されたピン５１８ｐと軸５０３Ｓの回転により連れ回らない駆動部材５００に設けられた長穴５１５との間に接触力Ｆ３が発生し、軸５０３Ｓの動力が駆動部材５００へ伝達される。更に、軸５０３Ｓの回転に伴って、駆動部材５００の左接触部５００ｌはその接触している左側従動部材の爪部５０３１の斜面から接触力Ｆ４を受けて、駆動部材５００は押し出される。上述の軸方向の接触力Ｆ３、Ｆ４によって、駆動部材５００が確実に右側従動部材５０５ａ側（矢印Ｄ２の方向）に移動することが可能となっている（図６（ｂ））。そして、駆動部材５００の右接触部５００ｒが右側従動部材５０５ａに接触し結合し（図６（ｃ））、駆動部材５００を通して、軸５０３Ｓの動力が右側従動部材５０５ａに伝えられる。この時、駆動部材５００は、他方の左側従動部材５０３ａとは反対側に移動し、駆動部材５００と左側従動部材５０３ａは接触しないので、左側従動部材５０３ａには回転トルクは伝わらない（図６（ｄ））。
【００５７】
以上説明したとおり、本実施の形態における動力伝達機構においては、同一軸上に駆動部材及び従動部材が取付けられている。そのため、駆動部材は一方の従動部材へ移動し接触した時、他方の従動部材とは反対側に移動するため接触せず、駆動部材がその両側の従動部材と同時に噛み合うことが無いため、同時に動力伝達されることが無く、確実な動力伝達の切換が可能となり、高信頼である。
【００５８】
また、駆動部材が取付けられている軸の回転によって動作するため、駆動のための動力源が必要なく、部品点数が少なく小型且つ簡素となる。
【実施例１】
【００５９】
実施例１は上述の動力伝達機構を、紙幣を収納し放出する紙幣収納庫である第二の一時保管庫５０に適用した場合である。以下、実施例１の第二の一時保管庫５０の詳細な構造について、図７〜図８を用いて説明する。
【００６０】
図７は、第二の一時保管庫５０の構成を示す側面図である。第二の一時保管庫５０は、テープ５０１と、テープ５０１と紙幣を剥離するためのスクレーパ５１０と、テープの配置や張力を調整するために配置されるアイドラ５０４と、テープ５０１の上に紙幣Ｐを乗せた状態で巻き取るホイール５０２と、ホイール５０２が取付けられている軸５０２Ｓと、テープ５０１を巻き取るリール５０３と、リール５０３の軸５０３Ｓと、紙幣Ｐを搬送するローラ５１１と、紙幣Ｐを搬送する面である可動ガイド５０６と、テープ５０１及び紙幣Ｐをホイール５０２に案内するガイドローラ５０９とが設けられている。
【００６１】
搬送路２４を経由して第二の一時保管庫５０に誘導された紙幣は、その短手方向を搬送方向として第二の一時保管庫５０の内部に搬送される。第二の一時保管庫５０は、１枚の長尺なテープ５０１を備えており、テープの両端にホイール５０２とリール５０３とが設けられている。なお、ホイール５０２とリール５０３は、駆動モータ５０８によって回転駆動力が付与される。
【００６２】
第二の一時保管庫５０に紙幣が収納されるときには、紙幣は搬送路２４からローラ５１１の間を通過して可動ガイド５０６上へ搬送され、ホイール５０２とガイドローラ５０９とによって波形に変形付与され、テープ５０１上へ搬送される。そして、ホイール５０２を回転させることで、テープ５０１で紙幣を搬送し、紙幣はテープ５０１と共にホイール５０２に巻きつけられる。
【００６３】
これに対して、第二の一時保管庫５０から紙幣が放出されるときには、リール５０３はテープ５０１を巻き取り、テープ５０１と共にホイール５０２に巻き付いていた紙幣が、ホイール５０２から放出される。このとき、テープ５０１と挟まれた紙幣は、ホイール５０２とガイドローラ５０９とによって波形に変形付与され、第二の一時保管庫５０から放出されて搬送路２４に搬送される。
【００６４】
ここで、ホイール５０２には、スクレーパ５１０が所定の圧力で接触している。紙幣はホイール５０２に巻かれており、ホイール５０２の外周に沿って放出される。このような場合において、ローラ５１１がホイール５０２から放出された紙幣を受け取れない場合、紙幣の搬送ジャムの原因となる。このような紙幣の搬送ジャムを防止するために、スクレーパ５１０は、ホイール５０２の外周に沿って放出される紙幣をホイール５０２の外周から剥離し、ローラ５１１の方向へ案内する。その後、紙幣はローラ５１１によってテープ５０１と分離され、搬送路２４へ受け渡される。テープ５０１は、アイドラ５０４を通過しリール５０３に巻き取られる。
【００６５】
図８は、実施例１の第二の一時保管庫５０の構成を示す正面図である。軸５０２Ｓ、５０３Ｓは、側板５１３ａ、５１３ｂに対して回転自在に支持されている。ホイール５０２及びリール５０３には、それぞれトルクリミッタ５１７、５１４が取付けられており、トルクリミッタ５１７はホイール５０２と、トルクリミッタ５１４はギヤ５０３ｂ、５０７を介して、リール５０３と連結されている。
【００６６】
軸５０３Ｓには、ギヤ５１２、５０３ｂ、５０５と、リール５０３と、駆動部材５００と、その両側に、左側従動部材５０３ａおよび右側従動部材５０５ａとが取り付けられている。ギヤ５１２は、軸５０３Ｓに対して固定された状態で、軸５０３Ｓに直接取り付けられており、モータ５０８のギヤ５２０から駆動力を伝達される。一方、ギヤ５０３ｂ、５０５と、リール５０３と、左側従動部材５０３ａ、及び右側従動部材５０５ａは、ベアリング５０３ｃ、５０５ｂを通して、軸５０３Ｓに対して回転自在な状態で取り付けられている。また駆動部材５００は、軸５０３Ｓに対して回転自在、且つ軸方向（図８の左右方向）に移動可能な状態で取り付けられている。そして、駆動部材５００が左側従動部材５０３ａまたは右側従動部材５０５ａに接触することにより、当該左側従動部材５０３ａまたは右側従動部材５０５ａに駆動力が伝達される。
【００６７】
軸５０２Ｓには、ホイール５０２と、ギヤ５１９とが、それぞれ軸５０２Ｓに対して固定された状態で取り付けられている。
【００６８】
次に、第二の一時保管庫５０の動作に関して説明する。
【００６９】
図９（ａ）、９（ｂ）は、第二の一時保管庫５０のリール５０３にテープ５０１を巻き取るときの駆動系の説明図である。ここで、駆動部材５００、左側従動部材５０３ａ、右側従動部材５０５ａを含む動力伝達機構の動作については前述の通りである。モータ５０８が回転することにより、モータ５０８のギヤ５２０及びギヤ５１２を介して軸５０３Ｓにモータ５０８の駆動力が伝達され、軸５０３Ｓは矢印Ａの方向に回転する。上述の通り、軸５０３Ｓが矢印Ａの方向に回転すると、駆動部材５００は、コイルばね５１６から弾性抵抗力を受けるため、ピン５１８ｐと長穴５１５の間に接触力が発生し、軸５０３Ｓの動力が駆動部材５００へ伝達され、駆動部材５００は左側従動部材５０３ａ側に移動する。
【００７０】
ピン５１８ｐが長穴５１５の端に移動したとき、駆動部材５００の左接触部５００ｌは左側従動部材５０３ａに接触し結合しているため、駆動部材５００の回転トルクは左側従動部材５０３ａに伝達される。この時、駆動部材５００は、他方の右側従動部材５０５ａとは反対側に移動し、駆動部材５００と右側従動部材５０５ａは接触しないので、右側従動部材５０５ａには回転トルクは伝わらない。
【００７１】
以上の動作により、左側従動部材５０３ａの回転トルクが、リール５０３に伝達され、リール５０３がテープ５０１を巻き取る方向（矢印Ｃの方向）に回転する。リール５０３がテープ５０１を巻き取り始めると、テープ５０１に張力が掛かることにより、ホイール５０２に回転トルクが作用し始める。この回転トルクがトルクリミッタ５１７の設定トルクを超えたとき、ホイール５０２はテープ５０１を放出する方向（矢印Ｅの方向）に回転し始める。このトルクリミッタ５１７の作用により、テープ５０１は緩みなく紙幣を安定して搬送できる。
【００７２】
その後、リール５０３によるテープ５０１の巻き取りが終了したことを図示しないセンサ等により検知した後、モータ５０８は停止される。モータ５０８が停止されると、軸５０３Ｓ及びリール５０３の動作も停止する。このとき、テープ５０１に掛かっていた張力が無くなり、軸５０２Ｓ及びホイール５０２の動作も停止する。
【００７３】
図１０（ａ）、１０（ｂ）は、第二の一時保管庫５０のホイール５０２にテープ５０１と紙幣とを巻き取るときの駆動系の説明図である。ここで、駆動部材５００、左側従動部材５０３ａ、右側従動部材５０５ａを含む動力伝達機構の動作については前述の通りである。モータ５０８が回転することにより、モータ５０８のギヤ５２０及びギヤ５１２を介して軸５０３Ｓにモータ５０８の駆動力が伝達され、軸５０３Ｓは矢印Ｂの方向に回転する。ここで、駆動部材５００は、第二の一時保管庫５０のリール５０３にテープ５０１を巻き取るとき（図９（ａ）、９（ｂ）参照）と同様の原理により、右側従動部材５０５ａ側に移動し、駆動部材５００の右接触部５００ｒが当該右側従動部材５０５ａに接触する。そして、摩擦力によって駆動部材５００の回転トルクは右側従動部材５０５ａに伝達される。この時、駆動部材５００は、左側従動部材５０３ａとは反対側に移動するため、左側従動部材５０３ａには回転トルクは伝わらない。
【００７４】
右側従動部材５０５ａの回転トルクは、ギヤ５０５、５１９を介して軸５０２Ｓに伝達される。軸５０２Ｓはホイール５０２がテープ５０１を巻き取る方向（矢印Ｇの方向）に回転する。ホイール５０２がテープ５０１を巻き取り始めると、テープ５０１に張力が掛かることにより、リール５０３に回転トルクが掛かり始める。この回転トルクがギヤ５０３ｂ、５０７を介してトルクリミッタ５１４に伝達される。伝達された回転トルクがトルクリミッタ５１４の設定トルクを超えたとき、リール５０３はテープ５０１を放出する方向（矢印Ｆの方向）に回転し始める。このトルクリミッタ５１４の作用により、テープ５０１は緩みなく紙幣を安定して搬送できる。
【００７５】
紙幣の巻き取りが終了した後、モータ５０８は停止される。モータ５０８が停止されると、軸５０２Ｓ及びホイール５０２の動作も停止する。このとき、テープ５０１に掛かっていた張力が無くなり、軸５０３Ｓ及びリール５０３の動作も停止する。
【００７６】
以上説明した通り、本実施例における紙幣取引装置内の一部の動力伝達機構において、動力を伝達するための駆動部材及び従動部材が同一軸上に取付けられており、且つ、駆動部材の両側に従動部材を備えるため、駆動部材により一方の従動部材へ動力を伝達する際に、他方の従動部材とは接触しないため、駆動部材がその両側の従動部材と同時に噛み合うことが無く、同時に両側の従動部材へ動力伝達されることが無いため、確実な動力伝達の切換が可能となり高信頼である。
【００７７】
さらに、前記駆動部材は前記回転軸に対して、傾斜する方向に設けられた長穴と、長穴に貫通するように回転軸に固定されたピンとを備え、前記ピンが前記長穴とにより、前記駆動部材を前記回転軸の軸方向へ移動する構成となっている。この様な構成によると、取付けられている軸の回転によって駆動部材が動作するため、駆動伝達の切換えのための動力源が必要なく、部品点数が少なく小型且つ簡素な構成とすることが可能である。
【実施例２】
【００７８】
図１１は実施例２の構成を示す説明図である。以下、図１１を用いて、第２の実施形態について詳細に説明する。なお、以下では、第１の実施形態との相違点についてのみ説明し、第１の実施形態と同一の機構については、同じ番号を用いて説明する。
【００７９】
本実施例は第１の実施例で説明した動力伝達手段を異なる二つの独立した搬送路に適用した場合である。第一の搬送路２ａはプーリ８０と搬送ベルト９０を、第二の搬送路２ｂはプーリ８１と搬送ベルト９１を有する。プーリ８０、８１はそれぞれ動力伝達用のベルト９１、９２を介して左側従動部材５０３ａ、右側従動部材５０５ａと連結されている。
【００８０】
実施例１と同じ原理によって、図示せぬモータにより軸５０３Ｓを図中Ｈ方向に回転させると、駆動部材５００は矢印Ｄ３方向へ移動し、駆動部材の左接触部５００ｌと左側従動部材５０３ａとが接触した後に、動力がベルト９１を介して伝達され、第一の搬送路２ａが動作する。
【００８１】
一方、図示せぬモータにより軸５０３Ｓを図中Ｉ方向に回転させると、駆動部材５００は矢印Ｄ４方向へ移動し、駆動部材の右接触部５００ｒが右側従動部材５０５ａに接触した後に、動力がベルト９２を介して伝達され、第二の搬送路２ｂが動作する。
【００８２】
上述のように、一つのモータの回転方向を変えることによって、二つの独立した搬送路を任意に動かすことが可能である。これにより、小型且つ部品点数が少ない構成を実現することが可能である。また、本構成では、動力を伝達するための駆動部材及び従動部材が同一軸上に取付けられており、且つ、駆動部材の両側に従動部材を備えるため、駆動部材により一方の従動部材へ動力を伝達する際に、他方の従動部材とは接触しないため、駆動部材がその両側の従動部材と同時に噛み合うことが無く、同時に両側の従動部材へ動力伝達されることが無いため、確実な動力伝達の切換が可能となり高信頼である。
【００８３】
さらに、前記駆動部材は前記回転軸に対して、傾斜する方向に設けられた長穴と、長穴に貫通するように回転軸に固定されたピンとを備え、前記ピンが前記長穴とにより、前記駆動部材を前記回転軸の軸方向へ移動する構成となっている。この様な構成によると、取付けられている軸の回転によって駆動部材が動作するため、駆動伝達の切換えのための動力源が必要なく、部品点数が少なく小型且つ簡素な構成とすることが可能である。
【実施例３】
【００８４】
図１２は実施例３の構成を示す説明図である。以下、図１２を用いて、第３の実施形態について詳細に説明する。なお、以下では、第１、２の実施形態との相違点についてのみ説明し、第１、２の実施形態と同一の機構については、同じ番号を用いて説明する。
【００８５】
本実施例は第１の実施例で説明した動力伝達手段を、二段入金庫３に適合した場合である。軸５０３Ｓは、側板８６ａ、８６ｂに対して回転自在に支持されている。軸５０３Ｓには、ギア８２ａ、８２ｄ、８３ｂと、駆動部材５００と、駆動部材５００の両側（この実施例の場合では、駆動部材５００の上下に）左側従動部材５０３ａ、右側従動部材５０５ａとが取り付けられている。ギヤ８３ｂは、軸５０３Ｓに対して固定された状態で、軸５０３Ｓに直接に取り付けられており、モータ８３のギヤ８３ａから駆動力を伝達される。また、ギヤ８２ａと左側従動部材５０３ａ、ギア８２ｄと右側従動部材５０５ａはそれぞれベアリング５０３ｃと５０５ｂを通して、軸５０３Ｓに対して回転自在な状態で取り付けられている。
【００８６】
実施例１、２と同じ原理によって、モータ８３が回転することにより、モータ８３のギヤ８３ａ及びギヤ８３ｂを介して軸５０３Ｓにモータ８３の駆動力が伝達され、軸５０３Ｓを図中Ｊの方向に回転させると、駆動部材５００は矢印Ｄ５方向へ移動し、駆動部材５００の左接触部５００ｌ（この実施例の場合では、駆動部材５００の上に）が左側従動部材５０３ａに接触すると、動力がギヤ８２ｂと軸８２ｃ、８４ａを介して搬送ローラ８５ａに伝達される。
【００８７】
上動作によって、二段入金庫３に突入した紙幣Ｐは、ゲート８７によって第一の紙幣収納室８８の方向に案内される。その後、搬送ローラ８５ａの回転によって紙幣Ｐが第一の紙幣収納室８８へ搬送される。
【００８８】
一方、モータ８３が回転することにより、モータ８３のギヤ８３ａ及びギヤ８３ｂを介して軸５０３Ｓにモータ８３の駆動力が伝達され、軸５０３Ｓは図中Ｋの方向に回転させると、駆動部材５００は矢印Ｄ６方向へ移動するとき、駆動部材５００の右接触部５００ｒ（この実施例の場合では、駆動部材５００の下に）が右側従動部材５０５ａに接触し、動力がギヤ８２ｅと軸８２ｆ、８４ｂを介して搬送ローラ８５ｂに伝達される。
【００８９】
上動作によって、二段入金庫３に突入した紙幣Ｐは、ゲート８７によって第二の紙幣収納室８９の方向に案内される。その後、搬送ローラ８５ａの回転によって紙幣Ｐが第二の紙幣収納室８９へ搬送される。
【００９０】
この様な構成であるため、取付けられている軸の回転によって駆動部材が動作するため、一つのモータで二つの紙幣収納室を駆動でき、また、必要な紙幣収納室だけ駆動するため、機構部品点数が少なく、長寿命化構成となる二段入金庫を実現することが可能である。
【００９１】
また一つのモータにより二つの紙幣収納室を動作させるが、片側の紙幣収納室を動作させている際は、もう一方の紙幣収納室は動作しない。この構成であると、モータには片側の紙幣収納室の負荷のみしか作用しないため、モータは必要最低限の動力で二段入金庫を駆動させることができる。
【００９２】
また、本実施例の効果として、動力を伝達するための駆動部材及び従動部材が同一軸上に取付けられており、且つ、駆動部材の両側に従動部材を備えるため、駆動部材により一方の従動部材へ動力を伝達する際に、他方の従動部材とは接触しないため、駆動部材がその両側の従動部材と同時に噛み合うことが無く、同時に両側の従動部材へ動力伝達されることが無いため、確実な動力伝達の切換が可能となり高信頼である。
【００９３】
さらに、前記駆動部材は前記回転軸に対して、傾斜する方向に設けられた長穴と、長穴に貫通するように回転軸に固定されたピンとを備え、前記ピンが前記長穴とにより、前記駆動部材を前記回転軸の軸方向へ移動する構成となっている。
【００９４】
この様な構成によると、取付けられている軸の回転によって駆動部材が動作するため、駆動伝達の切換えのための動力源が必要なく、部品点数が少なく小型且つ簡素な構成とすることが可能である。
【００９５】
なお、本発明は、上記実施の形態そのままに限定されるものではなく、実施段階ではその要旨を逸脱しない範囲で構成要素を変形して具体化することができる。例えば、実施例１における第二の一時保管庫と同様の機能や構成を有した他の収納庫、実施例２における搬送路と同様の機能や構成を有した他の搬送体、実施例３における二段入金庫と同様の機能や構成を有した他の入出金庫に適用することができる。また、上記各実施の形態に開示されている複数の構成要素を組み合わせた発明を形成してもよい。例えば、実施例１における第二の一時保管庫、実施例２における搬送路、実施例３における二段入金庫の一部またはすべてを含む紙幣取引装置に適用することができる。
【符号の説明】
【００９６】
１０１：紙幣取引装置
５０：第二の一時保管庫
５００：駆動部材
５００ｌ：駆動部材の左接触部
５００ｒ：駆動部材の右接触部
５０１：テープ
５０２：ホイール
５０２Ｓ：ホイール軸
５０３：リール
５０３ａ：左側従動部材
５０３１：左側従動部材の爪部
５０３ｂ、５０５、５０７、５１２、５１９、５２０：ギヤ
５０３ｃ、５０５ｂ：ベアリング
５０３Ｓ：リール軸
５０４：アイドラ
５０５ａ：右側従動部材
５０５１：右側従動部材の爪部
５０６：可動ガイド
５０８：モータ
５０９：ガイドローラ
５１０：スクレーパ
５１１：搬送ローラ
５１３ａ〜ｂ：側板
５１４、５１７：トルクリミッタ
５１５：長穴
５１６：コイルばね
５１８ｐ：ピン。
【図１（ａ）】
0006490482.tif 000002
【図１（ｂ）】
0006490482.tif 000003
【図２（ａ）】
0006490482.tif 000004
【図２（ｂ）】
0006490482.tif 000005
【図３】
0006490482.tif 000006
【図４】
0006490482.tif 000007
【図５（ａ）】
0006490482.tif 000008
【図５（ｂ）】
0006490482.tif 000009
【図５（ｃ）】
0006490482.tif 000010
【図５（ｄ）】
0006490482.tif 000011
【図６（ａ）】
0006490482.tif 000012
【図６（ｂ）】
0006490482.tif 000013
【図６（ｃ）】
0006490482.tif 000014
【図６（ｄ）】
0006490482.tif 000015
【図７】
0006490482.tif 000016
【図８】
0006490482.tif 000017
【図９（ａ）】
0006490482.tif 000018
【図９（ｂ）】
0006490482.tif 000019
【図１０（ａ）】
0006490482.tif 000020
【図１０（ｂ）】
0006490482.tif 000021
【図１１】
0006490482.tif 000022
【図１２】
0006490482.tif 000023
【図１３】
0006490482.tif 000024